(57)【要約】エアフレッシュシステムは、透過性膜１２０がその上に配設され、その中に揮発性物質５６が配設された容器５４を含む。透過性膜１２０には不浸透性ラミネート１２２が取り外し可能に取り付けられ、不浸透性ラミネートは、使用前にそこから除去されるように適合される。取付け機構は、容器を茎状部５２上に保持するように適合される。【選択図】図１
2013537441.tif 000002
【特許請求の範囲】
【請求項１】
透過性膜（１２０）がその上に配設され、その中に揮発性物質（５６）が配設された容器（５４）と、
前記透過性膜（１２０）に取り外し可能に取り付けられ、使用前にそこから除去されるように適合された不浸透性ラミネート（１２２）と、
茎状部（５２）と
を備える、エアフレッシュシステムであって、
取付け機構が、前記茎状部（５２）上に前記容器（５４）を保持するように適合されることを特徴とする、エアフレッシュシステム。
【請求項２】
前記容器（５４）が、基部（１１４）とそこから上向きに延びる側壁（１１６）とを含み、前記側壁（１１６）の頂縁部に周縁フランジ（１１８）が取り付けられ、前記基部（１１４）および前記側壁（１１６）のうちの少なくとも１つが天然物の形状である、請求項１に記載のエアフレッシュシステム。
【請求項３】
前記天然物の前記形状が、花、ハーブ、葉、および植物のうちの少なくとも１つの形状である、請求項２に記載のエアフレッシュシステム。
【請求項４】
前記取付け機構が、前記茎状部（５２）を受けるためのチャネル（１３０）を含む、請求項１に記載のエアフレッシュシステム。
【請求項５】
前記茎状部（５２）が、接着剤、スナップ嵌合相互作用、および干渉嵌合のうちの少なくとも１つによって前記チャネル（１３０）内に保持される、請求項４に記載のエアフレッシュシステム。
【請求項６】
前記取付け機構が、前記容器（５４）と前記茎状部（５２）との間のスナップ嵌合相互作用である、請求項１に記載のエアフレッシュシステム。
【請求項７】
前記取付け機構が、前記茎状部（５２）および前記容器（５４）のうちの少なくとも１つに塗布される接着剤である、請求項１に記載のエアフレッシュシステム。
【請求項８】
前記茎状部（５２）は、断面が円筒形であり、直径が１ｍｍ〜１００ｍｍである、請求項１に記載のエアフレッシュシステム。
【請求項９】
前記茎状部（５２）の前記直径が、第１の端部と第２の端部との間で、前記茎状部の長さに沿って変動する、請求項８に記載のエアフレッシュシステム。
【請求項１０】
前記茎状部がポリスチレン材料を含む、請求項１に記載のエアフレッシュシステム。
【請求項１１】
天然物の形状の複数の容器（５４）を提供することであって、各容器（５４）が、前記容器（５４）内に配設された揮発性物質（５６）の拡散を調整するための透過性膜（１２０）と、前記揮発性物質（５６）の拡散を実質的に防ぐために、前記透過性膜（１２０）を覆って配設された不浸透性ラミネート（１２２）とを含み、各容器（５４）が可撓性の茎状部（５２）に取り付けられる、複数の容器（５４）を提供することを含む、揮発性物質を放出するための方法において、
前記揮発性物質（５６）を放出するために、第１の時点に、前記複数の容器（５４）から前記不浸透性ラミネート（１２２）のうちの少なくとも１つを除去し、前記揮発性物質（５６）の前記拡散を加速させるために、前記第１の時点後の第２の時点に、前記複数の容器から残りの不浸透性ラミネート（１２２）のうちの少なくとも１つを除去することを特徴とする、方法。
【請求項１２】
前記複数の容器（５４）が、第１のフレグランスを備える第１の容器と、第２の異なるフレグランスを備える第２の容器とを含む、請求項１１に記載の方法。
【請求項１３】
前記第１の時点に前記不浸透性ラミネート（１２２）が除去された前記少なくとも１つの容器からの前記揮発性物質（５６）が実質的に放出されなくなると、前記第２の時間の点における前記少なくとも１つの不浸透性ラミネート（１２２）の前記除去が実行される、請求項１１または１２に記載の方法。
【請求項１４】
前記第１の時点に前記不浸透性ラミネート（１２２）が除去された前記少なくとも１つの容器からの前記揮発性物質（５６）が実質的に放出されなくなる前に、前記第２の時間の点における前記少なくとも１つの不浸透性ラミネート（１２２）の前記除去が実行される、請求項１１または１２に記載の方法。
【請求項１５】
少なくとも３つの茎状部（５２）および容器（５４）が提供される、請求項１〜１４のうちのいずれか１項に記載の方法。
【発明の詳細な説明】
【技術分野】
【０００１】
［関連出願の相互参照］
本出願は、２０１０年７月１２日付で出願された米国仮特許出願第６１／３６３，４７４号の優先権を主張する。
【０００２】
［連邦政府資金援助研究開発に関する参照］
適用なし
【０００３】
［アミノ酸配列］
適用なし
【０００４】
本開示は一般に、エアフレッシュシステムに関し、より詳細には、茎状部と、揮発性活性物質が充填された熱成形カートリッジとを有するエアフレッシュシステムに関する。
【背景技術】
【０００５】
典型的なエアフレッシュシステムは、システムの何らかの部分に配置された芳香発散材料を含み、花などの人工物を含むことができる。芳香放出物品が視界から隠れるように、花を保持する容器に芳香放出物品を配設することがよくある。いくつかの場合には、その容器上に多孔質カバーを配設して、さらに放出物品が視界に入らないようにすると同時に、フレグランス材料がそこを通ってパッシブに拡散ができるようにする。
【０００６】
１つのシステムでは、フレグランス造花ディスプレイは、開放頂部と、内側表面と下端部の内側表面とによって規定された内部チャンバとを備えるベッセルを含む。ベッセルには頂面を有する基部が設けられ、この基部はベッセルの内側表面に一致するのが好ましい。この造花の茎状部は、基部内に部分的に入っており、ベッセル内の基部の頂部には、フレグランスを放出するためにゲル層が設けられている。異なる実施形態ではフレグランスゲルが端部に設けられ、造花に隣接して配置されたロッドによってフレグランスが供給される。
【０００７】
異なるフローラルシステムでは、容器は、液体フレグランス材料をその底部部分に保持する。造花の茎状部には芯が設けられている。毛細管作用によってフレグランス材料が芯を上昇し、造花から分散するように、芯は、液体材料に載置されるように適合される。
【０００８】
本開示は、消費者が完全に制御できるエアフレッシュシステムを企図する。エアフレッシュシステムの自然な外観は、家庭の装飾に溶け込むリアルな視覚ディスプレイを提供すると同時に、エアフレッシュシステムから放出されるフレグランスの強度を制御するための無制限な選択肢を消費者に提供する。エアフレッシュシステムの活性化は、所与の時間に活性化するために、消費者がエアフレッシュシステムの数を選ぶという点で単純である。さらに、本エアフレッシュシステムは持ち運び可能であり、それにより、消費者は、家庭のいずれの部分にもエアフレッシュシステムを展示することができる。
【発明の概要】
【０００９】
本開示の１つの態様によれば、エアフレッシュシステムは、透過性膜がその上に配設され、その中に揮発性物質が配設された容器を含む。このシステムはまた、茎状部と、茎状部に容器を保持するように適合された取付け機構を含む。透過性膜には不浸透性ラミネートが取り外し可能に取り付けられ、不浸透性ラミネートは、使用前にそこから除去されるように適合される。
【００１０】
本開示の異なる態様では、エアフレッシュシステムは、揮発性物質をその中に保持し、茎状部に取り付けられる容器を含む。容器の上には透過性膜が配設されており、その透過性膜には、使用前にそこから除去されるように適合された不浸透性ラミネートか取り外し可能に取り付けられている。
【００１１】
本開示のさらなる態様では、揮発性物質を放出するための方法は、天然物の形状の複数の容器）を提供するステップを含む。各容器は、容器内に配設された揮発性物質の拡散を調整するための透過性膜と、揮発性物質の拡散を実質的に防ぐために、透過性膜を覆って配設された不浸透性ラミネートとを含む。各容器は、可撓性の茎状部に取り付けられる。この方法はまた、揮発性物質を放出するために、第１の時点に、複数の容器から不浸透性ラミネートのうちの少なくとも１つを除去し、揮発性物質の拡散を加速させるために、第１の時点後の第２の時点に、複数の容器から残りの不浸透性ラミネートのうちの少なくとも１つを除去するステップを含む。
【図面の簡単な説明】
【００１２】
【図１】熱成形容器が端部に配設された複数の茎状部を含むエアフレッシュシステムの第１の実施形態の等角図であり、エアフレッシュシステムはベースに配設されている。
【図２】図１のエアフレッシュシステムの等角図であり、エアフレッシュシステムは壁掛けユニットに配設されている。
【図３】図１の茎状部のうちの１つおよび熱成形容器の部分拡大背面等角図である。
【図４】図３の茎状部および熱成形容器の、線４−４にほぼ沿って切り取られた断面図である。
【図５】茎状部およびそれに取り付けられた熱成形容器を有するエアフレッシュシステムの第２の実施形態の部分背面等角図である。
【図６】茎状部が取り外された状態の図５のエアフレッシュシステムである。
【図７】熱成形容器に取り付けられたブラケットを含むエアフレッシュシステムの第３の実施形態の部分背面等角図であり、茎状部はそのブラケットに取り付けられるように適合されている。
【図８】継手によって取り付けられたブラケットの第１の部分および第２の部分を含も、熱成形容器を包囲しているエアフレッシュシステムの第４の実施形態の部分前面等角であり、茎状部はそのブラケットに取り付けられるように適合されている。
【図９】複数の茎状部とそれに取り付けられる熱成形容器とを含むエアフレッシュシステムの第５の実施形態の等角図である。
【図１０】図９のエアフレッシュシステムの部分拡大等角図である
【図１１】基部と図９の熱成形容器とを含むエアフレッシュシステムの第６の実施形態の等角図である。
【図１２】茎状部と係止機構によってそれに取り付けられる熱成形容器とを含むエアフレッシュシステムの第７の実施形態の部分等角図である。
【図１３】図１２の熱成形容器の後部等角図である。
【図１４】図１２の熱成形容器の側面図である。
【図１５】図１２の係止機構の後部等角図である。
【図１６】図１２の係止機構の前面等角図である。
【図１７】図１２の係止機構の別の前面等角図である。
【図１８】図１２の係止機構の正面図である。
【図１９】係止機構が開状態である図１２のエアフレッシュシステムの前面等角図である。
【発明を実施するための形態】
【００１３】
以下の詳細な説明を考慮すると、本発明の他の態様および利点が明らかになるであろう。同様の構造は同様の参照番号で示される。
【００１４】
図１および図２に、茎状部５２と、それに取り付けられる花の形状の容器５４またはカートリッジとを備えるエアフレッシュシステム５０を示す。熱成形容器５４内に揮発性物質５６が配設され、揮発性物質５６は、そこから発散されるように適合されている。エアフレッシュシステム５０は一般に、複数の茎状部５２および容器５４を備える束で使用されるように適合される。単一の茎状部５２および容器５４を含んで、任意の数の茎状部５２および容器５４を使用することができる。図１に示すように、エアフレッシュシステム５０はベース５８によって支持される。図１に示すベース５８は、テーブルまたはカウンターなどの実質的に水平な平坦面６０に載置され、直立姿勢または平坦面６０に対して実質的に垂直な姿勢でエアフレッシュシステム５０を保持するように適合される。図２に示すように、エアフレッシュシステム５０は、壁掛けユニット６２に載置されており、壁または垂直表面６４と相互作用するように適合されている。ベース５８と壁掛けユニット６２とが示されているが、任意の容器を使用して、エアフレッシュシステム５０を支持および保持することができる。
【００１５】
図１を参照すると、ベース５８は、実質的に平坦な基部６６を含み、曲線を描く側壁６８がそこから上向きに延びている。側壁６８の頂端部７２にはオリフィス７０が配設されており、そこを通してエアフレッシュシステム５０を挿入することができるように適合されている。ベース５８の内部を横切って、実質的に水平なプラットフォーム７４が延びており、プラットフォーム７４は、エアフレッシュシステム５０の（１つまたは複数の）茎状部５２を支持するように適合された、プラットフォームを貫通する複数の開口部７６を含む。使用時には、消費者は、複数の開口部７６のうちの１つに茎状部５２を挿入することができる。１つの実施形態では、茎状部５２の遠位端（図示せず）は、ベース５８の内部表面に載置される。１つの実施形態では、茎状部５２の遠位端（図示せず）がベース５８の内部表面に載置される。別の実施形態では、茎状部５２の全部または一部分は、茎状部５２を直立させて保持するために、開口部７６を規定する水平プラットフォーム７４の一部分と干渉関係で相互作用する。
【００１６】
図１に示すように、多種多様な形状の熱成形容器５４が提供される。熱成形容器５４の形状は、花、ハーブ、葉、または任意の他の植物に似ていることが好ましい。花および／またはハーブの形状の熱成形容器５４により、エアフレッシュシステム５０には生物のような外観が与えられる。ただし、他の実施形態では、容器５４を生物または天然物を模倣する他の形状にできることが企図される。
【００１７】
図２を見ると最もよく分かるように、壁掛けユニット６２は、頂端部８４に開口部８２を有する実質的に楕円形の本体８０を含む。ベース５８と同様に、壁掛けユニット６２は、任意選択で、貫通している開口部（図示せず）を有するプラットフォームをさらに含む。（１つまたは複数の）茎状部５２は、ベース５８と同じ方法で、壁掛けユニット６２に挿入され、そこに保持されるように適合される。ベース５８および壁掛けユニット６２が図示されているが、エアフレッシュシステム５０は、任意の他のタイプの容器に保持してもよく、および／またはまったく容器に保持しなくてもよい。代替的には、容器またはベースは擬似底部を含むことができ、より短い長さの茎状部も収容することができる。代替的に、エアフレッシュシステム５０は、クリップ（図示せず）、または表面、たとえば、車のバイザーにエアフレッシュシステム５０を取り付けることを可能にする何らかの他の機構を含むことができる。またさらに、エアフレッシュシステム５０は、水平方向に、たとえば、引出しで使用することができ、および／または水平平坦面６０に隣接して載置することができる。
【００１８】
次に図３を参照すると、エアフレッシュシステム５０の茎状部５２は実質的に円筒形であり、ベース５８および／または壁掛けユニット６２の内部に接触するように適合された第１の端部（図示せず）を含む。茎状部５２は、熱成形容器５４が取り付けられた第２の端部９２をさらに含む。茎状部５２は円筒形であるものとして示されているが、茎状部５２は、様々な幾何学的形状および／または幾何学的形状の組合せとすることができる。本実施形態では、茎状部５２の直径は、約１ｍｍ〜約１００ｍｍの範囲である。ただし、他の好ましい実施形態は、直径が約１ｍｍ〜約５０ｍｍの範囲内の茎状部５２を含む。さらに本実施形態では、茎状部５２は約２５０ｍｍの長さ寸法を含む。他の実施形態では、茎状部５２は、約１００ｍｍ〜約５００ｍｍの長さ寸法を含む。１つの実施形態では、茎状部５２の直径は茎状部の長さに沿って変動する。例示的には、茎状部５２の直径は遠位端では厚く、茎状部５２に沿った様々な他のポイントでは直径を小さく、それにより、可撓性および生物のような外観を提供することができる。ただし、茎状部５２の長さ、直径およびサイズの特徴は、ユーザのニーズに応じて容易に調整可能であり、適宜、調整することができる。
【００１９】
１つの実施形態では、茎状部５２は、茎状部５２に、剛性で、しかも可撓性の特徴を与える木材材料、籘材料、または竹材料で作製されている。別の実施形態では、茎状部５２は、被覆ワイヤ材料で作製されている。茎状部５２のためのさらに好適な材料は、たとえば、ポリスチレン、ポリエステルおよびポリオレフィンなどのポリマー、金属、セラミック、強化繊維、ガラス、ならびに熱成形容器５４を支持することが可能な他の材料を含む任意の天然材料および／または合成材料を含む。１つの実施形態では、茎状部５２は、長さ全体にわたって実質的に中実である。異なる実施形態では、茎状部５２は、長さ全体にわたって中空の中心部および／または中空のセクションを含む。
【００２０】
茎状部５２は、単一の連続する円筒形状を含むことができ、および／またはリアルで自然な外観を与えるために茎状部５２から傾斜して延びる枝状部（図示せず）を含むことができる。茎状部５２および／または枝状部は、曲げることができるように可撓性とすることができる。別の実施形態では、茎状部５２および／または枝状部は、よりリアルに実際の植物または花を模倣するために、時が経つとともに曲がる、または垂れ下がることがある。実施形態のいずれかにおいて、より生き物のような外観を与えるために、同じエアフレッシュシステムで様々な直径を有する茎状部５２を使用することができる。
【００２１】
１つの特定の実施形態では、ある時間期間にわたって茎状部に対する屈曲が比較的変わらない熱成形容器と組み合わせた茎状部を提供することが好ましかった。長さ約２５０ｍｍの茎状部を使用すると、茎状部をポリプロピレンまたはポリエチレンで形成した結果、茎状部がゆっくりと動く、すなわち、茎状部の一端にある容器の重みにより、茎状部が時間とともに変形することが分かった。実験試験によって、非オレフィン熱可塑性物質およびそれらの合金（たとえば、ポリスチレン）は、茎状部を比較的一定の割合で曲げ、時間が経っても変わらない。本実施形態とともに使用するために企図される様々なポリスチレンの例として、ＨＩＰＳ  ８  ＡＲ−Ｍ３５０  ２０１１０４１３、Ｉｍｐａｃｔ  ＰＳ６２１０、Ｉｍｐａｃｔ６２００および６２０１、Ｓｔｙｒｏｓｕｎ（登録商標）６６００、Ｓｔｙｒｏｎ（商標）４９８−ＡＭＳＴ、Ｓｔｙｒｏｎ（商標）４８７Ｒ−ＡＭＳＴ、Ｓｔｙｒｏｎ（商標）４８７−ＡＭＳＴ、Ｓｔｙｒｏｎ（商標）４８４−ＡＭＳＴ、Ｓｔｙｒｏｎ（商標）４２１−ＡＭＳＴ、Ｓｔｙｒｏｎ  Ａ−Ｔｅｃｈ（商標）１１１５−ＡＭＳＴ、ならびにＩｍｐａｃｔ  ＰＳ９５００という商品名で、米国アメリカ合衆国，オハイオ州４４０１２，エイボンレイク，ウォーカーロード３３５８７に事業所を有するＰｏｌｙＯｎｅによって製造されるものが挙げられる。
【００２２】
図３を見ると最もよく分かるように、茎状部５２は、任意選択で、長さ全体にわたって所定の破断点１００の形態の脆弱区域を含む。消費者が茎状部５４の長さを調整できるようにするために、製造プロセス中におよび／またはエアフレッシュシステム５０を包装する前に、複数の所定の破断点１００を茎状部５４に設けることができる。破断点１００は、茎状部５２の長さに沿って複数の所定の間隔で拝察される。たとえば、破断点１００は互いから約２５ｍｍ離間し得る。使用時、消費者は、エアフレッシュシステム５０を購入すると、（１つまたは複数の）茎状部５２を取り出すことができ、破断点１００を使用して１つまたは複数の部分を破断することができる。破断点１００の区域では、茎状部５２の他の区域よりも小さな力で茎状部５２を破断する、または折ることができる。代替的に、消費者は、従来の切断器具を使用することによって茎状部５２の長さを調整することができる。
【００２３】
図３および図４を参照すると、茎状部５２は、熱成形容器５４と相互作用してエアフレッシュシステム５０を形成するように適合される。熱成形された容器５４が開示されているが、他の材料で作製された容器を含めて、エアフレッシュシステム５０で使用するためには、様々な製造プロセスによって作製された他のタイプの容器が適している。容器が揮発性物質５６を保持することができる限り、任意の材料が使用に好適であり得る。熱成形容器５４は、基部または底壁部１１４と、そこから上向きに延び、周縁フランジ１１８で終端する湾曲した側壁１１６とを含む花またはハーブの形をした熱成形構造１１２を備えている。周縁フランジ１１８に蒸気透過性膜１２０が接着され、蒸気透過性膜１２０は熱成形構造１１２を覆って延びている。透過性膜１２０は、底壁部１１４および側壁１１６と連携して、揮発性物質５６を含有するための封止リザーバとして作用する。任意選択で、図４に示す不浸透性のラミネート１２２が、透過性膜１２０を覆ってフランジ１１８に取り外し可能に接着される。
【００２４】
本実施形態とともに、容器５４を茎状部５２に固定するための様々な取付け機構を利用できることが企図される。１つの実施形態では、熱成形容器５４は、熱成形構造１１２の底壁部１１４に配設された実質的に方形のチャネル１３０（図６を参照）を含む。チャネル１３０は、熱成形容器５４の端部１３４から内向きに、熱成形容器５４の長さの約１／３だけ延びる。図４に示すように、チャネル１３０は、茎状部５２に熱成形容器５４をしっかりと保持することができるように、茎状部５２と相互作用するように適合される。チャネル１３０は、任意選択で、チャネル１３０の外周に外接し、そこから内向きに延びて、茎状部５２と熱成形容器５４との間にスナップ嵌合タイプの相互作用を提供する（図３に示される）レッジ１３２を含む。代替的には、チャネル１３０はレッジを含まないが、チャネル１３０は、茎状部５２がチャネル１３０に挿入されたときに茎状部５２と熱成形容器５４との間に干渉嵌合が生じるように、茎状部５２に対してサイズ決定される。またさらに、茎状部５２上に熱成形容器５４を保持するために、たとえば、接着剤および／または粘着性ポリマーを含む他の固定機構を使用してもよい。さらなる実施形態では、使用前には熱成形容器５４が茎状部５２に接続されておらず、独立したエアフレッシュナーとして使用することができる。さらに異なる実施形態では、熱成形容器５４は、茎状部５２への容器５４のスナップタイプまたは干渉タイプの取付けを可能にするチャネルまたは他の溝構造を含まない。この実施形態では、熱成形容器５４は、独立して使用しても、あるいは接着剤で茎状部５２に取り付けてもよい。
【００２５】
図７を参照すると、異なる実施形態は、チャネル１３０のない熱成形容器５４を示している。代わりに、ブラケット１５４は、超音波溶接を使用して容器５４に取り付けられる。ブラケット１５４は、好ましくは熱成形容器５４の端部１３４に配設され、ブラケット１５４が視覚的にアピールし、熱成形容器５４になじむように相補型外形を有している。ブラケット１５４は、本明細書で前に開示した茎状部５２と相互作用するように適合された開口部１５６をさらに備える。ブラケット１５４はポリエステルであることが好ましいが、他の材料を備えてもよい。ブラケット１５４は、製造プロセス中に容器５４に取り付けられるのが好ましい。使用時には、茎状部５２が開口部１５６に挿入され、熱成形容器５４は、ブラケット１５４との摩擦嵌合によって茎状部５２上に維持される。
【００２６】
図８に、第１の部分１５８と第２の部分１６０とを有するブラケット１５４を含む熱成形容器５４の異なる実施形態を示す。第１の部分１５８と第２の部分１６０とは、継手１６２で互いに取り付けられる。以下により詳細に説明するように、継手１６２を開いて、不浸透性ラミネートの除去を容易に行うことができる。異なる実施形態では、第１の部分１５８と第２の部分１６０とは互いに着脱不可能に接続され、あるいはユーザには開くことができない単体部品を備えている。この実施形態では、不浸透性ラミネートは、ユーザが不浸透性ラミネートの除去を容易に行うことができるように、１つまたは複数の穿孔を備えていることが好ましい。
【００２７】
例示的に、熱成形構造１１２は、ナイロンラミネートに接着剤で接合された再生ポリエチレンテレフタレート（ＲＰＥＴ）層で構成される。また、ナイロンラミネートは、中間ナイロン層の両側に共押出成形されたエチレン酢酸ビニルコポリマー（ＥＶＡ）の層を含むことができる。１つの実施形態における熱成形構造１１２のナイロンラミネート−ＲＰＥＴ層の厚さは、約０．３ｍｍ〜約０．４ｍｍである。熱成形構造１１２は一般に、
高さ約１ｍｍ〜約３ｍｍ、長さ約１０ｍｍ〜約１００ｍｍ、幅約１０ｍｍ〜約７０ｍｍの全体寸法をもつ花の形状である。１つの実施形態における熱成形構造１１２の側壁１１６および底壁部１１４は、加熱され、次いでブロー加工および／またはプレス加工されたＲＰＥＴとナイロンラミネートとの単一のシートから熱形成される。熱成形構造１１２は透明または半透明とすることができ、それにより、熱成形構造１１２を通して揮発性物質５６が見えるようになる。代替実施形態では、熱成形構造１１２は着色されていても、半透明でもよい。さらなる実施形態では、熱成形構造１１２は、不透明でも、透過性でもよい。
【００２８】
フランジ１１８は平坦であり、熱成形構造１１２の頂縁部に結合され、そこから外向きに延びている。１つの実施形態では、フランジ１１８は、側壁１１６の上側縁部から外向きに延びている。フランジ１１８は、前の段落に記載したように、たとえば、熱成形プロセスで熱成形構造１１２と一体に形成される。
【００２９】
例示的に、透過性膜１２０は、厚さが約０．０５ｍｍ〜約０．１５ｍｍであり、密度が約０．８８〜０．９５グラム／立法センチメートルの範囲内となる。透過性膜１２０はまた、不浸透性ラミネート１２２と一体に形成することができ、透過性膜１２０が熱成形構造１１２全体にわたって延びるように、透過性膜１２０をフランジ１１８に熱融合する。透過性膜１２０のサイズは、それを通る揮発性物質５６の拡散速度の重要なファクタである。透過性膜１２０の表面積が小さくなると、放出される揮発性物質５６が少なくなり、その結果、消費者が検知するフレグランス強度が低くなる。揮発性物質の拡散速度に影響を及ぼし得る他のファクタには、揮発性物質の固有の組成、透過性膜の厚さおよび組成、ならびに熱成形容器内に含まれている揮発性物質の量が含まれる。
【００３０】
図４に、透過性膜１２０と、熱成形構造１１２を包囲し、封止することによって、揮発性物質５６の拡散を防ぐ密封容器を形成する不浸透性ラミネート１２２とを示す。ユーザが不浸透性ラミネート１２２の角（図示せず）を把持し、透過性膜１２０から不浸透性ラミネート１２２を剥離することにより、透過性膜１２０を露出させ、揮発性物質５６が透過性膜１２０を通って移動し、周囲空気中に拡散できるようになる（図１〜図３）まで、容器は完全にまたは実質的に不浸透性のままである。
【００３１】
透過性膜１２０は５層共押出物であり、低密度ポリエチレン（ＬＤＰＥ）の混合物の第１の層および第２の層、ならびに第１のＬＤＰＥ層の両側に接合された超低密度ポリエチレン（ＵＬＤＰＥ）を含む。また、第２のＬＤＰＥ／ＵＬＤＰＥ層に第２のＬＤＰＥ層が接合され、第２のＬＤＰＥ層の反対側にポリプロピレン（ＰＰ）層が接合される。透過性膜１２０は透明および半透明であることが好ましく、それにより、透過性膜１２０を通して揮発性物質５６が見えるようになる。
【００３２】
不浸透性ラミネート１２２は、ポリプロピレン層、アルミニウム箔層、および／またはポリエステル層を含むことができる。１つの実施形態では、不浸透性ラミネートは、アルミニウム箔層、ポリプロピレン（ＰＰ）接着剤によってアルミニウム箔の一方の面に接着されたＰＰ層、およびアルミニウム箔の他方の面に接合されたポリエチレンテレフタレート（ＰＥＴ）層を含む。箔カバーのＰＰ層は、箔カバーが封止されているときには蒸気透過性膜のＰＰ層に接触している。例示的に、不浸透性ラミネート１２２の厚さは、約０．１ｍｍ〜約０．２ｍｍである。ポリエステル層は一般に、印刷に適しており、不浸透性ラミネート１２２の外側表面とすることができる。
【００３３】
揮発性物質５６を熱成形構造１１２に配置した後、フランジ１１８と透過性膜１２０との間が封止される。上記のように、不浸透性ラミネート１２２と透過性膜１２０とが共押出成形される場合、不浸透性ラミネート１２２を透過性膜１２０と同時にフランジ１１８に取り付けることができる。透過性膜１２０および不浸透性ラミネート１２２は、接着、ヒートシーリング、および／またはクリンピングなどの任意の従来の手段を使用して、フランジ１１８に取り付けることができる。封止は、空気または揮発性物質５６の漏れを防ぐように実質的に気密である。
【００３４】
上記のように、熱成形容器５４に揮発性物質５６充填する。揮発性物質５６は、フレグランス、精油、エアフレッシュナー、臭気除去剤、殺虫剤、および／または有益な効果もしくは他の効果を提供することができる他の化学成分など、周囲環境に拡散させるための活性成分を含むことができる。揮発性活性物質５６は、固体、液体またはゲルを含む任意の形態を取ることができる。透過性膜を通した分散に好適な任意のタイプの揮発性物質を、本明細書に記載されたこれらの実施形態とともに使用することができることが企図される。所望される用途に応じて、熱成形容器５４に添加する揮発性物質５６の量を変動させることができる。好ましくは、約０．１グラム〜約５グラムの揮発性物質５６を添加し、より好ましくは、約０．５グラム〜約３グラムを添加し、最も好ましくは、熱成形容器５４に約２グラムを添加する。
【００３５】
熱成形容器５４の非使用状態中には、不浸透性ラミネート１２２は、透過性膜１２０を通る揮発性物質５６の拡散を防止する（または、実質的に防止する）。使用状態中には、熱成形容器５４から不浸透性ラミネート１２２が除去される。不浸透性ラミネート１２２を除去した後、揮発性物質５６を大気中に分散させることができるようになり、熱成形容器５４は、フル状態または第１の状態から、空状態または第２の状態へと遷移する。消費者は、希望通りにフレグランス分散を増加させるために、任意選択で、複数のエア放出システム５０から任意の数の不浸透性ラミネート１２２を除去することができる。たとえば、消費者は、図１に示した５つのエアフレッシュシステム５０のうちの２つから、不浸透性ラミネート１２２を直ちに除去したいと望むことがある。消費者はその後、最初の２つのエアフレッシュシステム５０の初期フレグランスを分散させた数日後および／または数週間後に、フレグランス分散のさらに増加させるために、他の３つの不浸透性ラミネート１２２を除去することができる。本明細書で説明する（１つまたは複数の）エアフレッシュシステム５０を使用することに対する１つの利点は、各エアフレッシュシステム５０が内蔵型であり、消費者によって選択的に動作可能であることである。
【００３６】
前の実施形態に関して説明した熱成形容器はその上に１つの透過性膜を含むが、本明細書で説明した実施形態の熱成形容器のうちのいずれかは、本明細書で説明したように複数の透過性膜を組み込むことができる。図５および図６に示すように、熱成形容器５４の異なる実施形態は中央隔壁１３６を含み、隔壁１３６は、隔壁１３６の第１の側１４０から外向きに延びる第１の側壁１３８と、第２の側１４４から外向きに延びる第２の側壁１４２とを有する。第１の側壁１３８の頂縁部に第１の透過性膜１４６が取り付けられ、密閉リザーバ１４８を形成する。第２の側壁１４２の頂縁部に第２の透過性膜１５０が取り付けられ、第２の密閉リザーバ１５２を形成する。代替的に、中央隔壁１３６は、透過性膜を直接固定することができるように、剛性材料で作製されるのが好ましい。任意選択で、不浸透性膜は、第１の透過性膜１４６および第２の透過性膜１５０をそれぞれ覆う。またさらに、熱成形容器５４は、隔壁、フランジ、または他の剛性材料などの支持構造に固定された単一の透過性膜を含むことができる。
【００３７】
各リザーバ１４８および１５２は、その中に揮発性物質５６を含有するように適合される。１つの実施形態では、第１のリザーバ１４８内に配設された揮発性物質５６は、第２のリザーバ１５２中の揮発性物質５６と同じである。異なる実施形態では、第１のリザーバ１４８内に配設された揮発性物質５６は、第２のリザーバ１５２中に提供された揮発性物質５６とは異なる。使用時に、消費者は、揮発性活性物質を放出するために、不浸透性の膜のうちの１つまたは複数を選択的に除去することができる。
【００３８】
次に図９および図１０を参照すると、エアフレッシュシステム１７０の異なる実施形態が示されている。エアフレッシュシステム１７０は、以下に説明される違いを除いて、第１の実施形態のエアフレッシュシステム５０と同様である。エアフレッシュシステム１７０は、茎状部１７２と、それに取り付けられる造花の形態の熱成形容器１７４とを備える。揮発性物質１７６は、熱成形容器１７４内に配設され、そこから拡散するように適合されている。エアフレッシュシステム１７０は、ベース１７８または他の容器によって支持することができる。茎状部１７２は、第１の実施形態の茎状部と同様である。熱成形容器１７４は、熱成形容器５４と同様の構成であるが、熱成形容器５４に立体的な形状を与えるために折り畳まれるように、または曲がるように適合されている。
【００３９】
図１０および図１１を参照すると、熱成形容器１７４は、茎状部１７２の長手方向軸と対応する垂直軸１８０を中心として折り畳まれている。また、折り目は、熱成形容器１７４の最も長い長さ寸法と対応する。折り畳まれた姿勢では、熱成形容器１７４の折り目により、垂直軸の両側の露出側１８２ａおよび１８２ｂと、中央空洞部１８４とが生成される。揮発性物質が中央空洞部１８４から外向きに拡散できるようにするために、露出側１８２ａおよび１８２ｂの各々に透過性膜１８６が配設されていることが好ましい。１つの単一膜として透過性膜１８６を設けてもよいが、複数の膜を含んでもよいことが企図される。たとえば、図１０および図１１には、１つの透過性膜が一方の露出側１８２ａに配設され、別の透過性膜が他方の露出側１８２ｂに配設され、２つの別々のチャンバを形成していることが示されている。代替的には、この実施形態のｖ字型の熱成形容器１７４を形成するために、軸１８０を中心として、１つの透過性膜が取り付けられた１つの容器を折り畳むことができる。またさらに、熱成形容器１７４は、少なくとも１つの透過性膜が取り付けられた剛性支持部材を含むことができる。容器１７４は、本明細書で開示する実施形態のいずれかに関して説明する複数の膜を含むことができる。
【００４０】
この実施形態では、茎状部１７２は上向きに延び、中央空洞部１８４で熱成形容器１７４に取り付けられる。茎状部１７２は接着剤を使用して取り付けられる。代替的には、茎状部１７２と熱成形容器１７４とは、前の実施形態に記載するように、アンダーカットをもつチャネルを使用して取り付けることができる。
【００４１】
図１１には、基部２００において使用されるように適合された熱成形容器１７４の異なる実施形態が示されている。基部２００は円形であり、複数の実質的にｖ字型の切欠部２０４を頂面２０６に有するドーム状の頂部２０２を含む。基部２００は、熱成形容器１７４を保持することができる限り、任意の形状にすることができる。使用時に、消費者は、所望するように熱成形容器１７４を選択的に配置し、取り外すことができる。さらに、消費者は、（容器１７４が不浸透性ラミネートカバーを含む場合）不浸透性ラミネートカバーを選択的に除去して、そこからの揮発性物質の拡散を開始させることができる。
【００４２】
次に図１２〜図１９を参照すると、エアフレッシュシステム３００は、茎状部３０２と、それに取り付けられた花の形状の容器３０４またはカートリッジとを備える。熱成形容器３０４内に揮発性物質が配設され、揮発性物質は、そこから拡散するように適合される。エアフレッシュシステム３００は、茎状部３０２および／または容器３０４の材料、ならびにエアフレッシュシステム３００の動作が、たとえば、図１〜図１１に関して示されたものと実質的に同様であるという点で、前の実施形態と同様である。図１２〜図１９には、単一の茎状部３０２および容器３０４のみが示されているが、任意の数の茎状部３０２および容器３０４を利用することができる。
【００４３】
図１３および図１４を見ると最もよく分かるように、容器３０４は、底壁部３０８を含む花の形をした熱成形構造を備え、本実施形態では、熱成形構造は、中央部分に実質的にティアドロップ型の窪みを含んでいる。底壁部３０８から、ふくらんだ側壁３１０が外向きに延び、周縁フランジ３１２で終端する。他の実施形態は、葉または花のパターンなどの天然物の視覚的印象を与えるために、底壁部３０８および側壁３１０について様々な形状を利用することができ、底壁部３０８は凹部を含むことも、含まないこともある。周縁フランジ３１２に蒸気透過性膜３１４が接着され、蒸気透過性膜３１４は熱成形構造を覆って延びている。透過性膜３１４は、底壁部３０８および側壁３１０と連携して、揮発性物質を含有するための封止リザーバとして作用する。任意選択で、不浸透性ラミネート（図示せず）が透過性膜３１４を覆ってフランジ３１２に取り外し可能に接着される。側壁３１０の端部３２０から円筒台形の突出部３１８が延び、円筒台形の突出部３１８は湾曲した垂直端壁３２２を有する。突出部３１８は、茎状部３０２と対合したときには安定化部材として作用する。フランジ３１２から延びるコネクタ３２８内に、トラック形状の開口部３２６が設けられる。
【００４４】
次に図１５〜図１８を参照すると、第１の非使用状態の茎状部３０２が示されている。前に説明したように、エアフレッシュシステム３００の茎状部３０２は、実質的に円筒形であり、細長である。本発明の茎状部３０２は、第２の端部４０２に配設された係止機構４００を含む。容器３０４は、茎状部３０２上に容器３０４を保持するための係止機構４００によって取り外し可能に係止されるように適合される。茎状部３０２は円筒形であるものとして示されているが、茎状部３０２は、様々な幾何学的形状および／または幾何学的形状の組合せとすることができる。茎状部３０２の長さ、直径およびサイズの特徴は、ユーザのニーズに応じて容易に可能である。
【００４５】
係止機構４００は、実質的に三角形の基部部分４０４と、それにヒンジで取り付けられた同様の形状のドア４０６とを含む。基部部分４０４とドア４０６とは、容器３０４の一部分を保持し固定するように適合されたコンパートメント４０８を形成する。１つの実施形態では、係止機構４００は、茎状部３０２と一体に形成される。異なる実施形態では、係止機構４００は、当業者に知られている任意の方法で茎状部３０２に固定される。基部部分４０４は、頂縁部４１２から底部接続点４１４に向かって下向きに延びる実質的に三角形の湾曲した後壁面４１０を含む。図１６および図１７を見ると最もよく分かるように、頂縁部４１２の厚さは幅にわたって変動する。詳細には、頂縁部４１２は、第１の縁部４１６と第２の縁部４１８との間に全体的に凹んだ形状を備えている。第１の縁部４１６および第２の縁部４１８に隣接して、対向する第１の平坦部分４２０および第２の平坦部分４２２がそれぞれ設けられる。
【００４６】
図１６〜図１８を参照すると、空洞部４０８に、支持リブ４４０ａ〜ｇの形態で複数の細長いリブが設けられる。支持リブ４４０ａ〜ｇのすべては、容器３０４のコネクタ３２８、突出部３１８、および／または側壁３１０との相互作用のための成型された表面を提供するような方法で、後方壁４１０から外向きに突出している。支持リブ４４０ａ〜ｇは互いにほぼ平行であり、第１の縁部４１６および第２の縁部４１８に隣接する部分から頂縁部４１２に向かって延びる。支持リブ４４０ｃ〜ｅは、コネクタ３１８のための隙間および支持を提供するために頭部が切り取られている。支持リブ４４０ｃ〜ｅは、突出部３１８の湾曲した垂直端壁３２２と嵌合して相互作用するように規定された湾曲端部４４２ｃ〜ｅをそれぞれ含む。部分４４４ｃ〜ｅは、湾曲端部４４２ｃ〜ｅに隣接する支持リブ４４０ｃ〜ｅから、遠位湾曲端部４４６ｃ〜ｅに向かって延びる。部分４４４ｃ〜ｅは、支持リブ４４０ｂおよび４４０ｆと一緒に、突出部３１８の周囲部分を支持する。支持リブ４４０ｃ〜ｅの遠位湾曲端部４４６ｃ〜ｅは、容器３０２の湾曲した側壁３１０に嵌合係合するように適合される。同様に、支持リブ４４０ｂおよび４４０ｆはそれぞれ、側壁３１０の一部分にそれぞれ係合するための遠位湾曲端部４４６ｂおよび４４６ｆを含む。支持リブ４４０ａ〜ｇの残りの上側部分４４８ａ〜ｇは、湾曲端部４４２ｃ〜ｅ、４４６ｂおよび４４６ｆ、ならびに第１の縁部４１６および第２の縁部４１８の内部であり、コネクタ３２８と相互作用するために、比較的平坦な表面を提供する。以下でより詳細に説明するが、容器３０４を基部部分４０４に挿入し、ドア４０６を閉じると、容器３０４を嵌合保持するための相補的な形状を提供するために、ドア４０６と基部部分４０４の内部部分とによってコンパートメント４０８が規定される。
【００４７】
さらに図１６〜図１８を参照すると、支持リブ４４０ｃ〜ｅにわたって後壁面４１０から、トラック形状の突出部４５０が延びている。同様に成形されたトラック形状の開口部４５２が突出部４５０内に設けられる。突出部４５０の上側縁部４５４は、支持リブ４４０ｃ〜ｅの上側部分４４８ｃ〜ｅと実質的に同一平面上にある。開口部４５２は、係止デバイス４００が第２の状態、つまり使用状態にあるときに、ドア４０６から延びる相補的なトラック形状の突出部４５６を受けるように適合される。
【００４８】
また、後方壁４１０は、第２の縁部４１８に沿って配設された係止セクション４６０を含む。係止セクション４６０は、平坦部分４２２から外向きに延びる隆起部分４６２を含む。隆起部分４６２の内部表面上には、２つの別々の開口部４６４ａおよび４６４ｂが設けられている（図１７参照）。
【００４９】
次に図１５〜図１８を参照すると、ドア４０６は、第１の縁部４１６に沿って設けられたヒンジ４６６を含み、それにより、基部部分４０４にドア４０６をフレキシブルに取り付けることができることが分かる。ヒンジ４６６は、ドア４０６または基部部分４０４の一方または両方に一体に取り付けることができる。実際には、基部部分４０４とドア４０６とを接続してドア４０６と基部部分４０４とが回転可能に係合できるようにするために、任意のタイプのヒンジを利用することができる。
【００５０】
図１６〜図１８を参照すると、支持壁４６８と、そこから上向きに延びる成形された壁４７０とを含むドア４０６が示されている。成形された壁４７０は、頂縁部４７４に隣接する開口部４７２によって遮断される。成形された壁４７０は、コネクタ３２８の一部分と相補的な形状の空間４７６を規定する。また、トラック形状の突出部４５６が、空間４７６内の支持壁４６８から延びている。上述したように、容器３０４を基部部分４０４に挿入し、ドア４０６を閉じると、コンパートメント４０８は、コネクタ３２８、突出部３１８、および側壁３１０の一部分を嵌合保持するための成形された空間を提供する（図１９参照）。さらに、容器３０４をコンパートメント４０８に配置すると、基部部分の突出部４５０が容器３０４の開口部３２４を通って延びる。ドア４０６を閉じることにより、突出部４５６が突出部４５０の開口部４５２に挿入され、さらに、容器３０４がよりしっかりと保持される。
【００５１】
第２の状態または使用状態におけるドア４０６の保持は、ドア４０６の係止セクション４８０と基部部分４０４の係止セクション４６０との相互作用によって達成される。ドア４０６の側壁４８２は方形の凹部４８４を含む。２つの別々の突出部４８６ａおよび４８６ｂが凹部４８４内の壁４８８から外向きに延びている。突出部４８６ａおよび４８６ｂは、ドア４０６が閉じられると、基部部分４０４内の開口部４６４ａおよび４６４ｂとそれぞれ相互作用するように適合される。基部４０４にドア４０６を固定するために、ユーザは、突出部４８６ａおよび４８６ｂが隆起部分４６２の上に重なり、突出部４８６ａおよび４８６ｂが隆起部分４６２の開口部４６４ａおよび４６４ｂ内に係合して受容され、隆起部分が凹部４８４内に着座するように、ヒンジ４６６を中心としてドア４０６を回転させる。この状態では、ドア４０６が基部部分４０６に係止される。１つの実施形態では、ドアは、基部部分４０４に固定して保持されており、係止機構４００を損傷せずに取り外すことができなかった。他の実施形態では、隆起部分４６２ならびに突出部４８６ａおよび４８６ｂのうちの１つまたは複数は弾性であり、ドア４０６を開くことができるようになっている。
【００５２】
本明細書で説明した熱成形容器に追加の装飾エレメントを含めることができる。よりリアルな花またはハーブの外観を与えるために、エアフレッシュシステムに、たとえば、光沢、種子、花などを含めることができる。装飾エレメントは、透過性膜および熱成形容器を通して装飾エレメントが見えるように、エアフレッシュシステムと対照的であり得る様々な色の固体材料とすることができる。
【００５３】
本エアフレッシュシステムにおいて利用されるフレグランスおよび／またはカラースキームは、熱成形容器の形状に基づいて選択することができる。たとえば、一般的なバラの形状の熱成形容器には、明るい赤色および／または熱成形容器内に配設されたバラの香りのフレグランスを与えることができる。エアフレッシュシステムは、容器の形状、容器および／または揮発性物質の色、ならびにフレグランスはすべて、ユーザによりカスタマイズ可能であることが企図され、それにより、特定のテーマについてユーザの好みに基づいて選択することができる。
【００５４】
さらに他の装飾エレメントをライティング機構の形態でエアフレッシュシステムに含めることができる。たとえば、発光ダイオード、光ファイバーランプ、および／または他の照明源を、本明細書で説明したようなベース、茎状部、および／または容器に含めることができる。ライティング機構の色は、特定のハーブ／花のテーマに対応するように選択することができる。さらに、ライティングは、ある特定の設定、たとえば、ローライト設定においてのみライティングがアクティブとなるように、タイマーまたは光センサに基づいて動作するように選択することができる。
【００５５】
さらに、消費者が容易に揮発性活性物質を放出させることができるようにするために、追加のエレメントを使用することができる。揮発性活性物質５６の拡散の速度を増加させるために、たとえば、シェーカー（図示せず）または運動をもたらす他のエレメントを使用することができる。１つの実施形態では、使用中にシェーカーが見えないように、ベースおよび／または壁掛けユニット内の茎状部にシェーカーを取り付けることができる。また、消費者が容易に（１つまたは複数の）揮発性活性物質を放出できるように補助し、その放出を制御することができるようにするために、ファン、加熱エレメントなどの他のエレメントを使用してもよい。
【００５６】
揮発性物質を有する熱成形容器が本明細書の全体を通して説明されてきたが、熱成形容器と組み合わせて、および／またはその代わりに、他のフレグランスオプションを利用することができる。１つの実施形態では、ベースまたは他の支持容器中にフレグランス含有ビーズが配設されている。異なる実施形態では、茎状部および／または枝状部に沿ってフレグランス含有リーフが配設される。
【００５７】
さらに、他のフレグランスデバイスを使用してもよい。たとえば、フレグランススティックを使用することができる。異なる実施形態では、本明細書に記載した熱成形容器の代わりに、脆弱な小袋を使用することができ、それにより、消費者は、その小袋を破断して開くことによって揮発性物質の活性化を制御することができる。フレグランスデバイスのさらに別の代替実施形態は、エアフレッシュシステムの茎状部に取り付けるように適合された芳香性ポリマーおよび／またはラバーの使用を含む。そのような好適なポリマーとして、米国ニュージャージー州０７０３６，パークアベニューサウス１４０１所在のＲｏｔｕｂａ社から入手可能なセルロースアセテート、セルロースアセテートプロピオネートおよびセルロースアセテートブチレートが挙げられる。
【００５８】
当業者には明らかであるように、本明細書で開示する実施形態とともに、包装（図示せず）が含まれ得る。包装は、好ましくは、（１つまたは複数の）エアフレッシュシステム５０および１７０、ベース５８および１７８、ならびに／あるいは壁掛けユニット６２を保護する。包装は、それを通して揮発性活性物質５６が漏れないようにする障壁を提供する限り、当技術分野で知られている任意の材料で作製することができる。
【００５９】
本明細書に記載された実施形態のいずれかは、様々な実施形態に関して開示される構造または方法のいずれかを含むために変更することができる。さらに、本開示は、詳細に示されたタイプの揮発性物質容器および／または茎状部には限定されない。
【産業上の利用可能性】
【００６０】
本開示は、消費者が複数のエアフレッシュシステムを活性化するように制御することができるので、有利にも、大気への揮発性物質のより効果的かつフレキシブルな拡散を実現する様々なエアフレッシュシステムを企図する。このエアフレッシュシステムは、家庭の装飾に溶け込むリアルなフラワーアレンジメントを提供すると同時に、フラワーアレンジメントから放出される揮発性物質の強度の制御を実現する。
【００６１】
上記の説明に鑑みると、当業者には本発明に多数の修正が明らかになるであろう。したがって、この説明は、単に例示的なものとして解釈すべきであり、当業者が、本発明を実施および使用できるようにし、本発明を実行する最良の形態を教示することができるようにすることを目的として提示されるものである。添付の特許請求の範囲内のすべての修正に関する排他的権利が確保される。
【図１】
2013537441.tif 000003
【図２】
2013537441.tif 000004
【図３】
2013537441.tif 000005
【図４】
2013537441.tif 000006
【図５】
2013537441.tif 000007
【図６】
2013537441.tif 000008
【図７】
2013537441.tif 000009
【図８】
2013537441.tif 000010
【図９】
2013537441.tif 000011
【図１０】
2013537441.tif 000012
【図１１】
2013537441.tif 000013
【図１２】
2013537441.tif 000014
【図１３】
2013537441.tif 000015
【図１４】
2013537441.tif 000016
【図１５】
2013537441.tif 000017
【図１６】
2013537441.tif 000018
【図１７】
2013537441.tif 000019
【図１８】
2013537441.tif 000020
【図１９】
2013537441.tif 000021
【国際調査報告】
2013537441.tif 000022
2013537441.tif 000023
2013537441.tif 000024